(57)【特許請求の範囲】
【請求項１】
面状に光を出射する面状発光体と、
面状発光体上に裏面を対向し、表面は光反射面として機能するとともに、面状発光体からの光を通過する面状に配置される光通過孔を有する光通過反射材と、
光通過孔を通過し、又は光反射面に反射された光によって蓄光する面状の蓄光材と、
からなる蓄光構造体。
【請求項２】
面状発光体は、面端部に配置される光源と、光源からの光を導光する導光板と、
からなる請求項１に記載の蓄光構造体。
【請求項３】
蓄光材と光通過反射材との間に光通過孔からの光を拡散するための拡散板を有する請求項１又は２に記載の蓄光構造体。
【請求項４】
光はＵＶ光である請求項１から３のいずれか一に記載の蓄光構造体。
【請求項５】
蓄光材の上面に蓄光材からの光で模様を浮き上がらせるためのグラフィック層を有する請求項１から４のいずれか一に記載の蓄光構造体。
【請求項６】
前記光の出射を間欠的に行うための間欠機構を有する請求項１から５のいずれか一に記載の蓄光構造体。
【請求項７】
前記光通過孔はピッチが１ｍｍないし３ｍｍで孔径が０．５ｍｍないし１．５ｍｍで、前記拡散板厚が３ｍｍないし５ｍｍである請求項３又は請求項３に従属する請求項４から６のいずれか一に記載の蓄光構造体。
【請求項８】
請求項１から７のいずれか一に記載の蓄光構造体を用いた道路標識。
【請求項９】
請求項１から７のいずれか一に記載の蓄光構造体を用いた避難誘導標識。
【発明の詳細な説明】
【技術分野】
【０００１】
本発明は、蓄光構造体並びにこれを用いた道路標識及び避難誘導標識に関する。
【背景技術】
【０００２】
災害時の避難誘導などのための道路標識や避難誘導標識を発光させるための蓄光構造体は、長時間にわたり高輝度での発光が可能なものであることが望ましい。また、このような蓄光構造体は路面や壁面などの狭い空間に配置されることが多いため、コンパクトなサイズであることが望ましい。
長時間にわたり高輝度での発光が可能な蓄光構造体に関しては、特許文献１に、ＵＶＬＥＤ（Ｕｌｔｒａ  Ｖｉｏｌｅｔ  Ｌｉｇｈｔ  Ｅｍｉｔｔｉｎｇ  Ｄｉｏｄｅ）光を蓄光材に照射して発光させる装置であって、ＵＶＬＥＤ光源と蓄光材の間に複数の孔を設けた反射シートを配置したものが開示されている。同文献には、ＬＥＤから蓄光材に直接照射を行うとともに、蓄光材裏面から発せられて反射シートに向かった光が、反射シートの反射作用により反射シート・蓄光材間の空間で反射・散乱を繰り返した後、空間の側面から外部に効率よく放射されることで、非通電時においても高輝度で発光できることが記載されている（特許文献１参照）。
【先行技術文献】
【特許文献】
【０００３】
【特許文献１】特開２０１３−０４５６７５号公報
【発明の概要】
【発明が解決しようとする課題】
【０００４】
特許文献１に開示されている装置では、上述のように、蓄光材と反射シートの間に空間を設けることで、蓄光材裏面から発せられた光が当該空間内で反射・散乱し、この光を装置側面から外部に効率よく放射することが可能となっている。しかし、当該文献に記載の発明にかかる装置では、以下の理由からも空間を設けることが不可欠であり、しかもそのサイズを相当程度のものとする必要があるといえる。すなわち、同装置においては、蓄光材を高輝度で光らせるために蓄光材の全面に光を照射する必要があるが、当該装置では、光源であるＬＥＤから蓄光材に対して直接光を照射するようにしているため、指向性の高いＬＥＤ光の照射面が蓄光材の全面にわたる程度に広がった状態となるためには、蓄光材をＬＥＤから相当程度離れた位置に配置しなければならない。この結果、ＬＥＤ光源と蓄光材の間に生じる空間が相当程度のサイズのものとならざるを得ず、このため、蓄光構造体をコンパクトなサイズにすることは困難であった。
【０００５】
本発明は、以上の点に鑑みたものであり、その解決すべき課題は、蓄光材裏面から発せられる光を反射材で反射・拡散させ再度蓄光材に照射することで蓄光材を高輝度で発光させることが可能な蓄光構造体のサイズをよりコンパクトなものとし、もって、路面や壁面などの狭い空間に配置することがより容易な蓄光構造体を提供することにある。
【課題を解決するための手段】
【０００６】
上記課題を解決するため、本発明のうち、第一の発明は、面状に光を出射する面状発光体と、面状発光体上に裏面を対向し、表面は光反射面として機能するとともに、面状発光体からの光を通過する面状に配置される光通過孔を有する光通過反射材と、光通過孔を通過し、又は光反射面に反射された光によって蓄光する面状の蓄光材とからなる蓄光構造体を提供する。
【０００７】
また、第二の発明は、第一の発明を基礎として、面状発光体は、面端部に配置される光源と、光源からの光を導光する導光板とからなる蓄光構造体を提供する。
【０００８】
また、第三の発明は、第一又は第二の発明を基礎として、蓄光材と光通過反射材との間に光通過孔からの光を拡散するための拡散板を有する蓄光構造体を提供する。
【０００９】
また、第四の発明は、第一から第三のいずれか一の発明を基礎として、光はＵＶ光である蓄光構造体を提供する。
また、第五の発明は、第一から第四のいずれか一の発明を基礎として、蓄光材の上面に蓄光材からの光で模様を浮き上がらせるためのグラフィック層を有する蓄光構造体を提供する。
【００１０】
また、第六の発明は、前記光の出射を間欠的に行うための間欠機構を有する第一から第五のいずれか一の発明に係る蓄光構造体を提供する。
【００１１】
また、第七の発明は、第三の発明又は第三の発明を基礎とする第四から第六のいずれか一の発明を基礎として、前記光通過孔はピッチが１ｍｍないし３ｍｍで孔径が０．５ｍｍないし１．５ｍｍで、前記拡散板厚が３ｍｍないし５ｍｍである蓄光構造体を提供する。
【００１２】
また、第八の発明は、第一から第七のいずれか一の発明に係る蓄光構造体を用いた道路標識を提供する。
【００１３】
また、第九の発明は、第一から第七のいずれか一の発明に係る蓄光構造体を用いた避難誘導標識を提供する。
【発明の効果】
【００１４】
本発明によれば、光源を面光源とすることで、光源から至近距離に配置された蓄光材に対してもその全面に光を照射することができる。このため、蓄光材裏面から発せられる光を反射材で反射・拡散させ再度蓄光材に照射することで蓄光材を高輝度で発光させることが可能な蓄光構造体のサイズをよりコンパクトなものとし、もって、路面や壁面などの狭い空間に配置することがより容易な蓄光構造体を提供することが可能となる。
【図面の簡単な説明】
【００１５】
【図１】実施例１の蓄光構造体の構成の概要を示す図
【図２】面状発光体の形状及び構成の一例を示す図
【図３】光通過反射材の形状及び構成の一例を示す図
【図４】グラフィック層及び透明保護層を備える蓄光構造体構成の概要を示す図
【図５】実施例１の蓄光構造体を利用した道路標識の形状の一例を示す図
【図６】実施例１の蓄光構造体を利用した避難誘導標識の形状の一例を示す図
【図７】実施例２における光通過孔及び拡散板の形状の一例を示す図
【符号の説明】
【００１６】
０１００    蓄光構造体
０１１０    面状発光体
０１２０    光通過反射材
０１３０    蓄光材
０１４０    光通過反射材と蓄光材の間の空間
０２１１    導光板
０２１２    ＬＥＤ
０３２１    シート状部材
０３２２    光通過孔
０３２３    反射材
０４５０    グラフィック層
０４６０    透明保護層
０７７０    拡散板
【発明を実施するための形態】
【００１７】
以下に、本発明の実施例を説明する。実施例と請求項の相互の関係は以下のとおりである。実施例１は主に請求項１、請求項２、請求項５、請求項８、請求項９などに関し、実施例２は主に請求項３、請求項７などに関し、実施例３は主に請求項４などに関し、実施例４は主に請求項６などに関する。なお、本発明はこれら実施例に何ら限定されるものではなく、その要旨を逸脱しない範囲において、種々なる態様で実施しうる。
【実施例１】
【００１８】
<概要>
本実施例の蓄光構造体は、面状発光体と光通過反射材と蓄光材とからなる。光通過反射材は、面状発光体に裏面を向け蓄光材に表面を向けて配置されている。また、当該光通過反射材は、光通過孔と光反射面として機能する表面とを有する。本実施例の蓄光構造体は、このような構成により、光通過反射材を通過した面状発光体からの光及び光反射面で反射した光によって蓄光材における蓄光を行うものである。
【００１９】
<構成>
（全般）
図１に本実施例の蓄光構造体の構成の概要を示す。本図に示すように、本実施例の蓄光構造体０１００は、面状発光体０１１０と、その表面側に配置される光通過反射材０１２０（左上がり斜線で示す）と、さらにその表面側に配置される蓄光材０１３０（右上がり斜線で示す）とを有する（便宜上、本図の上側を表面側、下側を裏面側として説明する。以下においても同様である）。光通過反射材には光通過孔０１２１（煩雑を避けるため１箇所にのみ符号を付したが本図では９個設けられている）が備えられている。後述するように、面状発光体内で反射・散乱を繰り返した後面状発光体表面から光通過孔を通過して射出された光（細線の矢印は光の進路を示す）は、蓄光材に照射される。光通過反射材と蓄光材との間には、これらの間で光が反射・散乱を繰り返すための空間０１４０が設けられる。あるいは、この空間に代えて透明アクリル樹脂等の透明材料を配置してもよく、このような構成によれば、光通過反射材と蓄光材との間で光が反射・散乱を繰り返すことをより好適に実現することが可能となる。
【００２０】
（面状発光体）
面状発光体は、面状に光を出射する発光体である。「面状」とは、光源が点状や線状ではなく、一定の幅と長さを有する面の状態であることをいう。発光体を面状のものとする意味は、蓄光材に対して至近距離からでも全面に光を照射することができるようにすることにある。
【００２１】
光源は可視光源であってもＵＶ光源ないしブラックライト光源であってもよい（ＵＶ光源の場合については、別の実施例にて詳述する）。
【００２２】
図２に、面状発光体の形状及び構成の一例を示す。（ａ）は平面図であり、（ｂ）は（ａ）のＸ−Ｘ線断面である。本例に示す面状発光体０２１０は、板状の導光板０２１１を備え、その端部に備えられたケース０２１４内に光源として例えばＬＥＤ０２１２が配置される。本図の例では６個のＬＥＤが配置されているが、その数は導光板の寸法等に応じて光が導光板内全体に行きわたるように適切に選択される。また、本図では導光板の一方の端部にのみＬＥＤを配置した例を示したが、両端に配置してもよい。導光板は、例えば透明樹脂や透明ガラスを材料とする。ＬＥＤから導光板に導入された光は、導光板内を乱反射しながら導光板内全体に導光され、導光板の表面（蓄光材が配置されている側の面）から射出される。また、導光板表面から表面側への光の射出をより好適に行うため、本図にも示したように、導光板の裏面側の全面に光を導光板内部方向に反射するための反射層０２１３（黒塗りで示す）が設けられることが望ましい。このように構成すれば、導光板内に乱反射しつつ広がった光は、導光板の裏面側に射出されることなく、最終的にほぼすべての光が導光板の表面側に射出されることが可能となる。
【００２３】
また、本図の例のように、ＬＥＤを収納するケース内にゲル０２１５を充填してもよい。このゲルは、導光板を構成する材料と近似した屈折率を有する材料とすることが望ましい。このような構成により、ＬＥＤからの光が導光板内に導入される際の減衰を抑え、光を効率よく導光板に取り入れることが可能となる。
【００２４】
以上のように、面状発光体は蓄光材に対して至近距離からでも全面に光を照射することができるように構成されるため、従来のように指向性の高いＬＥＤを蓄光材に向けて直接照射するのとは異なり、ＬＥＤ光源から蓄光材までの距離を相当程度開ける必要がなくなり、蓄光構造体のサイズをコンパクトにすることに資することとなる。また、従来と同様にＬＥＤを用いつつ、その指向性に伴う問題を改善しているので、ＬＥＤが有する省電力、長寿命といった利点は引き続き生かすことが可能となる。
【００２５】
なお、図２の例とは異なり、面状発光体は、断面が長方形の四角柱状の導光柱を複数並べたものであって、各導光柱の端部に一つずつＬＥＤを備えるようにしてもよい。この場合、各導光柱の間に光を射出しないすき間が生じうるが、後述のように面状発光体からの光はその上部に配置される光通過反射材の光通過孔を通過して蓄光材側に射出されるので、このすき間と光通過孔が上下に重ならないように配置されることが望ましい。
【００２６】
さらに、面状発光体は、以上に述べたようなＬＥＤ光源及び導光板を備えたもののほか、例えばＥＬ（Ｅｌｅｃｔｒｏ−ｌｕｍｉｎｅｓｃｅｎｃｅ）シートを備えたものであってもよい。
【００２７】
（光通過反射材）
光通過反射材は、面状発光体上に裏面を対向し、表面は光反射面として機能するとともに、面状発光体から発せられる光が通過するための面状に配置される光通過孔を有する。かかる光通過反射材として、例えばシート状の樹脂の表面に酸化チタンもしくは酸化亜鉛を塗布したものが考えられる。特に、酸化チタンは反射材として好適な材料である。
【００２８】
図３に、光通過反射材の形状及び構成の一例を示す。（ａ）は平面図であり、一部の形状を示したが、他の部分の形状も同様である。（ｂ）は（ａ）のＸ−Ｘ線断面の一部を示す図である。本図の例では、光通過反射材０３２０は、シート状部材０３２１に複数の光通過孔０３２２を備えるとともに、当該シート状部材の表面（ただし、光通過孔を除く）に反射材０３２３を塗布して反射層を形成したものである。（ｂ）において、左上がり斜線で示す部分がシート状部材の断面、右上がり斜線で示す部分が反射層の断面である。反射層の形成は、反射シートを貼り付けて行ってもよい。
【００２９】
光通過孔の寸法は、できるだけすべての光を蓄光材側に通過させるのに十分な大きさを有し、しかも光通過反射材の表面に形成されている反射面の機能を損なわない程度に制限された大きさになるように適切に設計される。かかる寸法の一例として、光通過反射材が縦約１００ｍｍ×横約３００ｍｍ×高さ約０．２ｍｍの寸法である場合に、これに対し、ピッチが１．６ｍｍで孔径が１．1ｍｍであるものが考えられる。この場合、光通過孔は光通過反射材に縦約６０個×横約１８０個配置されることになる。本図に示したものも、光通過孔がかかる寸法を有する例である。
【００３０】
光通過反射材は、面状発光体との間に空間を設ける形で面状発光体から離して配置してもよいが、面状発光体に接するように配置してもよい。後者の例としては、面状発光体の表面にシート状の光通過反射材を貼り付けたものが考えられる。本発明の特徴である、蓄光構造体のサイズをよりコンパクトなものにするという観点からは、面状発光体と光通過反射材の間に空間を設けない方が望ましく、面状発光体の上面形状に合わせて貼り付けることができるような弾性を有するシート状のものが好適である。
【００３１】
（蓄光材）
蓄光材は、面状発光体から光通過孔を通過して射出された光、又は光反射面によって反射された光によって蓄光する面状の部材である。すなわち、蓄光材における蓄光は、一つには面状発光体から光通過孔を通過して射出され、蓄光材に直接達した光によって行われる。また、もう一つには、蓄光材裏面から発せられ、光通過反射材の光反射面によって反射されて再び蓄光材に到達した光によって行われる。蓄光材に蓄えられた光は、蓄光材の発光面である表面側から射出されて蓄光標識等としての機能を果たす。
【００３２】
蓄光材料としては、アルミン酸ストロンチウム系の蓄光粉末を溶液に溶かして乾燥させたものなどが用いられる。アルミン酸ストロンチウムは、ＳｒＡｌ２Ｏ４、Ｓｒ４Ａｌ１４Ｏ２５などのようなストロンチウム（Ｓｒ）、アルミニウム（Ａｌ）及び酸素（Ｏ）を主要構成元素とする物質をいい、アルミン酸ストロンチウム系蓄光粉末は、アルミン酸ストロンチウム塩を母結晶として少量のユーロピウム（Ｅｕ）、ディスプロシウム（Ｄｙ）、ホウ素（Ｂ）などを添加したものである。
また、蓄光材として、シリコーン系の素材を用いてもよい。シリコーン系の素材は、その主骨格であるシロキサン結合の結合エネルギーが大きいために、樹脂系素材に比べて紫外線等に対する安定性に優れており、従って、紫外線による変色、劣化が少ないという特徴を有している。このため、屋外で使用されることも多い本発明にかかる蓄光構造体の蓄光材に用いることで、当該蓄光材の紫外線による変色や劣化を防ぐことができる。
【００３３】
ところで、蓄光材に照射されて蓄光が行われた場合、上述のように蓄光材裏面側からも光が発せられるが、この光は蓄光標識等としての機能を果たすための発光には寄与することなく、無駄になる可能性がある。しかし、本実施例では、蓄光材の下面側に備えられる光通過反射材の表面が光反射面として機能するように構成されているため、蓄光材裏面から発せられて光通過反射材の表面に達した光は、当該表面に配置された光反射面よって反射・散乱され、再び蓄光材に達し、蓄光に使用されることができる。このようにして、蓄光材裏面から発せられた光を無駄なく蓄光に用いることが可能となる。
【００３４】
このためには、光通過反射材と蓄光材の間に、蓄光材から発せられた光が光通過反射材によって反射されて反射・散乱を繰り返すための空間を設ける必要があり、面状発光体と光通過反射材のように接して配置することはできない。しかし、本実施例においては、従来の構成とは異なり光源が面発光するように構成されており、光源から至近距離で蓄光材の全面に光を照射することができるようになっているため、上記空間をコンパクトなものにすることができる。この空間をどの程度コンパクトなものにできるかは、光通過孔の寸法や数などによって規制されるが、例えば、光通過孔をピッチが１．６ｍｍで孔径が１．１ｍｍとし、このような光通過孔を縦約１００ｍｍ×横約３００ｍｍ×高さ約０．２ｍｍの光通過反射材に縦約６０個×横約１８０個配置した場合、蓄光材と光通過反射材の間の距離を５〜１０ｍｍ程度とすることができる。
【００３５】
（面状発光体からの光を無駄なく蓄光材に照射するための構成）
ところで、面状発光体のうち上面に光通過反射材の光通過孔が位置している表面から発せられた光は、当該光通過孔を通過して蓄光材が配置されている側に射出されるが、それ以外の表面からは、上面が光通過反射材の裏面によって覆われているため光を射出することができない。このとき、この光が当該裏面に吸収されてしまうと、この光は蓄光に用いられず無駄になってしまう。そこで、光通過反射材は、裏面も光反射面として機能するように構成されていることが望ましい。このように構成すれば、当該裏面に当たった光は反射して面状発光体内に戻り、例えば上述のように再び導光板内で乱反射しながら導光板内全体に導光されて導光板の側面から表面側に射出される。そこで、この過程を繰り返すことでほぼすべての光を光通過反射材の光通過孔から通過させて蓄光に用いることが可能となる。
【００３６】
（グラフィック層、透明保護層）
（グラフィック層）
本実施例の蓄光構造体は、蓄光材の上面に蓄光材からの光で模様を浮き上がらせるためのグラフィック層を有していてもよい。グラフィック層を形成するには、蓄光材の表面に例えば緑色の不透光性の塗料を塗布もしくは印刷すればよい。あるいは、蓄光材の表面に不透光性のシートを貼り付けてもよい。
【００３７】
（透明保護層）
本実施例の蓄光構造体は、蓄光材の上面に蓄光材を汚れや損傷から保護するための透明保護層を有していてもよい。透明保護層の材料としては、例えば透明ガラスもしくは透明樹脂（透明アクリル樹脂、透明ポリカーボネイト樹脂など）が用いられる。また、透明保護層は、蓄光材から発せられる光を層内で乱反射させつつ発出することで蓄光材の発光輝度を高めるという役目も果たす。さらに、蓄光材の上面にグラフィック層が配置される場合には、透明保護層はグラフィック層の上面に配置される。この場合には、透明保護層はグラフィック層を保護する役目も有することになる。
（グラフィック層及び透明保護層を備える蓄光構造体の形状の一例）
図４に、グラフィック層０４５０（黒塗りで示す）及び透明保護層０４６０を備える蓄光構造体０４００の構成の概要を示した。なお、その余の構成は図１に示したものと同様である。
【００３８】
（本実施例の蓄光構造体を利用した具体的実施例：道路標識）
本実施例の蓄光構造体は、以上のような構成によりコンパクトなものとすることが可能であることから、路面や壁面などの狭い空間に配置されることができ、道路標識、避難誘導標識など様々な用途のものに利用が可能である。
【００３９】
図５は、本実施例の蓄光構造体を利用した道路標識の形状の一例である。本図に示す道路標識０５００は路面０５０１に設置されており、全体が道路内に埋め込まれた状態である。標識全体の厚みを薄くすることができる（例えば１０〜１５ｍｍ程度とすることができる）ので、他の地下埋蔵物との関係で道路を深く掘ることができないような場合でも設置が可能である。
【００４０】
（本実施例の蓄光構造体を利用した具体的実施例：避難誘導標識）
図６は、本実施例の蓄光構造体を利用した避難誘導標識の形状の一例である。本図に示す避難誘導標識０６００は壁面０６０１に設置されており、全体が壁面外に露出している状態である。標識全体の厚みを薄くすることができるので、このように全体を露出させて設置したとしても、通行の妨げにならないようにすることが可能である。もちろん、図５に示した道路標識の例と同様に壁面内に埋め込んで配置してもよい。
【００４１】
<効果>
本実施例の発明により、光源を面光源とすることで、光源から至近距離に配置された蓄光材に対してもその全面に光を照射することができる。このため、反射材を用いて高輝度で発光させることが可能な蓄光構造体のサイズをよりコンパクトなものとし、もって、路面や壁面などの狭い空間に配置されることがより容易な蓄光構造体を提供することが可能となる。
【実施例２】
【００４２】
<概要>
本実施例の蓄光構造体は、蓄光材と光通過反射材との間に拡散板を有するものである。
【００４３】
<構成>
本実施例の蓄光構造体は、実施例１の蓄光構造体と基本的に共通する。ただし、本実施例の蓄光構造体は、蓄光材と光通過反射材との間に拡散板を有する。拡散板は、光通過孔からの光を拡散するためのものである。光を拡散する目的は、面状発光体から発せられ光反射通過材の光通過孔を通過して射出された光の指向性を妨げることにある。すなわち、面状発光体から発せられ光反射通過材の光通過孔を通過して射出された光は、従来のようにＬＥＤ光を直接射出する場合に比べれば、指向性が低く、蓄光材の全面に照射するようにすることが容易である。しかしそれでも、蓄光構造体の厚みを極めて小さなものにしようとして、光反射通過材と蓄光材との間を極めて狭くした場合には、光通過孔を通過した光が蓄光材の全面には照射されない場合が生じうる。そこで、蓄光材と光通過反射材の間にさらに拡散板を配置することで、光通過孔から蓄光材に向かう光をさらに拡散させることができ、これにより、蓄光材と光通過反射材との距離をより短くすることができ、蓄光構造体のさらなるコンパクト化に資することができる。
【００４４】
拡散板としては、例えば、表面をすりガラス（砂面）状にしたフロスト型拡散板や、表面をすりガラス状にした後フッ化水素により表面を腐食させて滑らかにした腐食型拡散板、あるいは表面に乳白色の膜をコーティングしたオパール型拡散板などを用いることができる。この場合、蓄光のための光をできるだけ無駄にしないためには、ある程度高い透過率を有する拡散板を用いる必要があるが、一般に透過率を高くすると拡散率が悪くなるので、どの程度の透過率、拡散率のものを用いるかは、蓄光構造体のサイズ、光通過孔の寸法などを勘案して適切に選択される。一般に、フロスト型拡散板は拡散性に優れ、腐食型拡散板は透過性に優れる。また、オパール型拡散板は厚みに関係なく透過率が一定である。
【００４５】
拡散板は、光通過反射材との間に空間を設ける形で光通過反射材から離して配置してもよいが、光通過反射材に接するように配置してもよい。本発明の特徴である、蓄光構造体のサイズをよりコンパクトなものにするという観点からは、光通過反射材と拡散板の間に空間を設けない方が望ましい。前述のように、面状発光体と光通過反射材の間も好適には空間を設けないで配置されるので、この場合には、面状発光体の上面に光通過反射材が接して配置され、さらにその上面に拡散板が接して配置されることとなる。
【００４６】
本実施例とは異なるが、拡散板に代えて透明ガラスや透明樹脂からなる凹レンズを配置してもよい。これによっても、面状発光体と蓄光材の間の距離が短くても面状発光体からの光が蓄光材の全面に到達するようにするという同様の目的を達成することが可能となる。
【００４７】
（光通過孔及び拡散板厚の寸法の一例）
前記光通過孔及び拡散板の寸法は、例えば光通過孔が１ｍｍないし３ｍｍで孔径が０．５ｍｍないし１．５ｍｍで、拡散板の板厚が３ｍｍないし５ｍｍであるものが望ましい。かかる寸法とすることで、できるだけすべての光を蓄光材側に通過させつつ、しかも光通過反射材の表面に形成されている反射面の機能を損なわないようにすることを好適に実現することができる。図７にかかる寸法を有する光通過孔及び拡散板の形状の一例を断面図で示した。本例は、光通過孔０７２２がピッチ１．６ｍｍで孔径１．１ｍｍ、拡散板０７７０の板厚が３ｍｍである好適な例である。
【００４８】
<効果>
本実施例の発明により、面状発光体と蓄光材の間の距離が短くても面状発光体からの光が蓄光材の全面に到達するようにするという本発明の目的をより好適に実現することが可能となる。
【実施例３】
【００４９】
<概要>
本実施例の蓄光構造体は、光がＵＶ光であるものである。
【００５０】
<構成>
（全般）
本実施例の蓄光構造体は、実施例１又は２の蓄光構造体と基本的に共通する。ただし、本実施例の蓄光構造体においては、面状発光体から発光される光はＵＶ光である。ＵＶ光は振動数が小さいことから、より少ない消費電力で蓄光材への照射に十分な明るさの発光を得ることが可能となる。また、ＵＶには殺菌作用や熱を出さないといった特徴もあることから、照射対象である蓄光性蛍光体の表面の除菌や高温化防止を図ることも可能となる。
【００５１】
（面状発光体）
この場合、面状発光体の光源として、ＵＶ光源が用いられる。例えば、面状発光体が図２に示したような導光板と導光板の端部に備えられる光源を備えるものである場合には、導光板の端部に光源としてＵＶＬＥＤが備えられる。なお、この場合にＵＶＬＥＤを収納するケース内にゲルを充填してもよいが、その場合ＵＶ耐候性を有する無機系ゲルを用いることが望ましい。なぜなら、ＵＶは吸収されやすく、吸収されたＵＶの光エネルギーが有機系ゲルの鎖状構造を分断してゲルを劣化させるおそれが高いからである。
【００５２】
（光通過反射材）
光通過反射材は光源からの光が直接照射されるものであるので、ＵＶ光を用いる本実施例では光通過反射材（特に裏面）もＵＶに対する耐候性を備えたものであることが望ましい。また、反射材は白色系のものであることが望ましい。かかるＵＶ耐候性を備える光通過反射材の一例として、住友スリーエム社製のスコッチカル（登録商標）フィルム（ＪＳ１０００シリーズ不透過タイプ）が挙げられる。
【００５３】
（拡散板）
光通過反射材の表面側に拡散板を備える場合には、拡散板はＵＶを透過させる性質を有するものである必要がある。かかるＵＶ透過性を有する材料として、例えば石英ガラスが用いられる。このほか、フッ化カルシウム樹脂やフッ化マグネシウム樹脂なども使用可能である。なお、拡散板のタイプとしては、腐食型又はフロスト型がＵＶに対する拡散効果が高く、本実施例に使用可能である。
【００５４】
<効果>
本実施例の発明により、ＵＶ光を用いることでより少ない消費電力で蓄光材への照射に十分な明るさの発光を得ることができる。
【実施例４】
【００５５】
<概要>
本実施例の蓄光構造体は、光の出射を間欠的に行うための機構を有するものである。
【００５６】
<構成>
（全般）
本実施例の蓄光構造体は、実施例１〜３の蓄光構造体と基本的に共通する。ただし、本実施例の蓄光構造体は、光の出射を間欠的に行うための間欠機構を有する。
間欠機構を設ける目的は、短時間の光の出射により長時間蓄光構造体を発光させるという処理を繰り返すことで、光源の発光ための消費電力を節約することにある。
【００５７】
間欠機構の具体的構成としては、例えばマイクロコンピュータを備え、その計時機能及び制御機能を用いて所定時間光を出射した後、所定時間光の出射を止め、その後同様の処理を繰り返すというように光源の発光パターンを制御することが考えられる。
かかる発光パターンの一例として、１５秒間光を出射した後、１５分間光の出射を止め、その後同様のパターンを繰り返すというものが考えられる。
【００５８】
<効果>
本実施例の発明により、短時間の光の出射により長時間蓄光構造体を発光させるという処理を繰り返すことで、光源の発光ための消費電力を節約することが可能となる。
【図１】
0006347033.tif 000002
【図２】
0006347033.tif 000003
【図３】
0006347033.tif 000004
【図４】
0006347033.tif 000005
【図５】
0006347033.tif 000006
【図６】
0006347033.tif 000007
【図７】
0006347033.tif 000008